(57)【要約】【課題】照明部に対して回動可能な付加機能収容筐体部を照明部に容易に着脱することができ、かつ、付加機能収容筐体部の機能部を収容するための収容空間を確保し易くすることができ、しかも、付加機能収容筐体部を安定的に支持することがでるＬＥＤ照明装置を提供すること。【解決手段】光透過性の部分を含む直管状カバー部１１と、ＬＥＤが設置される支持部１２と、支持部１２の一端部に固定される第一口金部１３とを有する照明部１０と、機能部２０と、支持部１２を固定する一端側固定部３１と、第二口金部７０を固定する他端側固定部３２と、一端側固定部３１と他端側固定部３２との間を円弧状の横断面をなして連接する中間連接部３３と有する回動ガイド部３０と、回動支持部５０と、回動支持部５０と連結固定可能に機能部２０の収容空間を回動ガイド部３０の軸中心から径外方向に拡大させた収容空間拡大形成部６０とを有する付加機能収容筐体部４０と、を有する。【選択図】図２
2020181663.tif 000002
【特許請求の範囲】
【請求項１】
内部に設けられたＬＥＤの光を外部に出射する光透過性の部分を含む直管状カバー部と、前記直管状カバー部の一端側から他端側まで延びるように該直管状カバー部の内部に配置され、かつ、前記ＬＥＤが設置される支持部と、直管状蛍光灯の一方のソケットから電源供給可能に接続されるように前記支持部の一端部に固定される第一口金部と、を有する照明部と、
前記照明部を介して電源が供給される機能部と、
一端側に前記支持部の他端部を固定する部分となる一端側固定部と、他端側に直管状蛍光灯の他方のソケットに接続される第二口金部を固定する部分となる他端側固定部と、前記一端側固定部と前記他端側固定部との間を天井側領域を残すように円筒の一部に切欠き部を形成した円弧状の横断面をなして連接する中間連接部と、有する回動ガイド部と、
前記回動ガイド部の天井側領域の外周面に沿う円弧状断面部を有し、前記回動ガイド部に対して前記円弧状断面部を支持部分として回動可能に前記外周面に取り付けられる回動支持部と、該回動支持部と連結固定可能に前記中間連接部の内面側に前記切欠き部を含む前記機能部の収容空間を前記回動ガイド部の軸中心から径外方向にさらに拡大させた収容空間拡大形成部と、を有する付加機能収容筐体部と、
を有することを特徴とするＬＥＤ照明装置。
【請求項２】
前記付加機能収容筐体部は、
前記収容空間拡大形成部が、前記機能部による外部情報検出側の面以外の面を絶縁脂材からなる壁で形成され、かつ、絶縁樹材からなる両側壁の少なくとも一方の側壁の内面に無線通信用のアンテナが配置されており、
前記回動支持部が、金属薄板材からなり、前記収容空間拡大形成部との連結固定完了状態では、前記収容空間拡大形成部の前記両側壁の外面の少なくとも一部を覆うように前記円弧状断面部の両端が延在しており、前記アンテナに対応した位置の前記外面領域は電波を通し易くするための覆わないように形成されている
ことを特徴とする請求項１に記載のＬＥＤ照明装置。
【請求項３】
前記付加機能収容筐体部は、
内部に収容される前記機能部が光透過性部材を通して外部情報を検出することができるものである場合、前記機能部による外部情報の検出側の面に別体の光透過性部材からなる光透過性壁部を有する
ことを特徴とする請求項１または２に記載のＬＥＤ照明装置。
【発明の詳細な説明】
【技術分野】
【０００１】
本発明は、直管状蛍光灯のソケットに取り付けられるＬＥＤ照明装置に関する。
【背景技術】
【０００２】
従来、直管型の蛍光管を有する蛍光灯、いわゆる直管状蛍光灯は、省電力化の流れから光源となるＬＥＤ（Ｌｉｇｈｔ  Ｅｍｉｔｔｉｎｇ  Ｄｉｏｄｅ）を光透過部分を含む直管状カバーの内部に設けたＬＥＤ照明装置に置き換えるようになってきている。
このようなＬＥＤ照明装置は、電源を交流電源から直流電源に変換するとともに電気配線を変更することによってＬＥＤへの電源供給を可能にしている。
しかも、ＬＥＤ照明装置は、直流電源から給電可能となったことにより、センサー、カメラ等の機能部を照明以外の付加機能として容易に組み込むことができるようになった。
【０００３】
例えば、特許文献１には、蛍光灯器具（直管状蛍光灯）のソケットに接続する照明部の一端側の接続部に、外側収容部と、外側収容部の内側において照明部の周方向に回動可能に設けられ、内部に機能部としての撮像部あるいは検出部が設けられた内側収容部と、を有し、これら外側収容部および内側収容部によって機能部が収容される付加機能収容筐体部を構成したＬＥＤ照明が記載されている。
この特許文献１に記載のＬＥＤ照明は、内側収容部を外側収容部内で回動させることによって、撮像部による撮影方向、あるいは、検出部による検出位置を変化させるようにしている。
また、特許文献１に記載のＬＥＤ照明は、照明部に接続した外側収容部に対して内側収容部を容易に着脱することができるようになっているので、結果的に、機能部を内部に収容した内側収容部を照明部に容易に着脱することができる構造になっている。
【先行技術文献】
【特許文献】
【０００４】
【特許文献１】特開２０１４−１１０１８１号公報
【発明の概要】
【発明が解決しようとする課題】
【０００５】
しかしながら、特許文献１に記載のＬＥＤ照明は、付加機能収容筐体部が、円筒状の外側収容部、および、円筒状の内側収容部を有する２重の収容構造となっており、内側収容部を収容する外側収容部が内側収容部の回動をガイドする部分として機能するようになっている。
このため、機能部を収容するための収容空間を形成する内側収容部が外側収容部の収容空間の大きさに比して小さく制約され、収容空間を大きく確保することが難しくなり、結果的に、収容できる機能部も限定される問題がある。
【０００６】
この問題を解消するために、特許文献１に記載されたＬＥＤ照明は、外側収容部の直径を大きく設定し、それに対応して内側収容部の直径を大きく設定することによって内側収容部の収容空間を大きくすることができるが、外側収容部および内側収容部が照明部の軸に対して、天井側領域も含めた外径方向全周にわたって照明部の外径よりも大きく外径を拡大することになるため、取付け先の天井側領域のカバー等に干渉し易くなり、既存のソケット位置を利用して取り付けることが難しくなってしまう問題があった。
また、機能部の性能を上げると、重量が増し、外側収容部が固定される直管状の収容部の端部にかかる重量負荷が大きくなり、回動させる部分ともなる付加機能収容筐体部の支持性能が不安定になるおそれがあった。
【０００７】
本発明は、上記に鑑みてなされたものであって、照明部に対して回動可能な付加機能収容筐体部を照明部に容易に着脱することができ、かつ、付加機能収容筐体部の機能部を収容するための収容空間を確保し易くすることができ、しかも、付加機能収容筐体部を安定的に支持することがでるＬＥＤ照明装置を提供することを目的とする。
【課題を解決するための手段】
【０００８】
上述した課題を解決し、目的を達成するために、本発明に係るＬＥＤ照明装置は、内部に設けられたＬＥＤの光を外部に出射する光透過性の部分を含む直管状カバー部と、前記直管状カバー部の一端側から他端側まで延びるように該直管状カバー部の内部に配置され、かつ、前記ＬＥＤが設置される支持部と、直管状蛍光灯の一方のソケットから電源供給可能に接続されるように前記支持部の一端部に固定される第一口金部と、を有する照明部と、前記照明部を介して電源が供給される機能部と、一端側に前記支持部の他端部を固定する部分となる一端側固定部と、他端側に直管状蛍光灯の他方のソケットに接続される第二口金部を固定する部分となる他端側固定部と、前記一端側固定部と前記他端側固定部との間を天井側領域を残すように円筒の一部に切欠き部を形成した円弧状の横断面をなして連接する中間連接部と、有する回動ガイド部と、前記回動ガイド部の天井側領域の外周面に沿う円弧状断面部を有し、前記回動ガイド部に対して前記円弧状断面部を支持部分として回動可能に前記外周面に取り付けられる回動支持部と、該回動支持部と連結固定可能に前記中間連接部の内面側に前記切欠き部を含む前記機能部の収容空間を前記回動ガイド部の軸中心から径外方向にさらに拡大させた収容空間拡大形成部と、を有する付加機能収容筐体部と、を有することを特徴とする。
【０００９】
また、本発明に係るＬＥＤ照明装置は、上記の発明において、前記付加機能収容筐体部が、前記収容空間拡大形成部が、前記機能部による外部情報検出側の面以外の面を絶縁脂材からなる壁で形成され、かつ、絶縁樹材からなる両側壁の少なくとも一方の側壁の内面に無線通信用のアンテナが配置されており、前記回動支持部が、金属薄板材からなり、前記収容空間拡大形成部との連結固定完了状態では、前記収容空間拡大形成部の前記両側壁の外面の少なくとも一部を覆うように前記円弧状断面部の両端が延在しており、前記アンテナに対応した位置の前記外面領域は電波を通し易くするための覆わないように形成されていることを特徴とする。
【００１０】
また、本発明に係るＬＥＤ照明装置は、上記の発明において、前記付加機能収容筐体部が、内部に収容される前記機能部が光透過性部材を通して外部情報を検出することができるものである場合、前記機能部による外部情報の検出側の面に別体の光透過性部材からなる光透過性壁部を有することを特徴とする。
【発明の効果】
【００１１】
本発明に係るＬＥＤ照明装置は、前記付加機能収容筐体部が前記回動ガイド部の天井側領域の外周面に前記回動ガイド部に対して前記円弧状断面部を支持部分として所定の回動位置で取り付け固定できるようになっている。
また、本発明に係るＬＥＤ照明装置は、前記付加機能収容筐体部が、前記回動支持部が回動ガイド部の天井側領域の外周面に沿うことによって、前記回動ガイド部の軸を中心として回動可能に支持され、前記中間連接部の内面側に前記切欠き部を含む前記機能部の収容空間を前記回動ガイド部の軸中心から径外方向にさらに拡大させるようになっているので、天井側領域に寸法が拡大することを抑えることができるようになっている。
しかも、本発明に係るＬＥＤ照明装置は、前記回動ガイド部が一端側に前記照明部の前記支持部の端部が連結固定され、他端側に前記第二口金部が固定されることによって、前記第一口金部から前記第二口金部まで略一体型の直管状に構成されているので、前記第一口金部から前記第二口金部まで剛性を有して直管状蛍光灯の両ソケットの間に支持固定されている。
従いまして、本発明に係るＬＥＤ照明装置は、照明部に対して回動可能な付加機能収容筐体部を照明部に容易に着脱することができ、かつ、付加機能収容筐体部の機能部を収容するための収容空間を確保し易くすることができ、しかも、付加機能収容筐体部を安定的に支持することがでる。
【図面の簡単な説明】
【００１２】
【図１】図１は、本発明の実施例に係るＬＥＤ照明装置の斜視図である。
【図２】図２は、本発明の実施例に係るＬＥＤ照明装置の分解斜視図である。
【図３】図３は、図１に示したＬＥＤ照明装置の底面図である。
【図４】図４は、（ａ）が、図１に示したＬＥＤ照明装置の上面図であり、（ｂ）が、ＬＥＤ照明装置の側面図である。
【図５】図５は、（ａ）が、図１に示したＬＥＤ照明装置の照明部側から視た側面図であり、（ｂ）が、ＬＥＤ照明装置の付加機能収容筐体部側から視た側面図である。
【図６】図６は、付加機能収容筐体部を回動ガイド部から離脱した状態を示した分解斜視図である。
【図７】図７は、収容空間拡大形成部の斜視図である。
【図８】図８は、（ａ）が、支持部の斜視図であり、（ｂ）が、（ａ）に示した支持部の回動ガイド部に連結固定される側の端部を拡大した図であり、（ｃ）が、（ａ）に示した支持部の第一口金部に連結固定される側の端部を拡大した図である。
【図９】図９は、（ａ）が、第一口金部の口金本体を外側から視た斜視図であり、（ｂ）が、第一口金部の口金本体を内側から視た斜視図である。
【図１０】図１０は、（ａ）が、回動ガイド部を第二口金部の固定側端部の斜め下方位置から視た斜視図であり、（ｂ）が、支持部との接続側端部の斜め下方位置から視た斜視図である。
【図１１】図１１は、収容空間拡大形成部の前壁に形成された開口を塞ぐカバーを外した状態の付加機能収容筐体部周辺の斜視図である。
【図１２】図１２は、（ａ）および（ｂ）が、図５（ｂ）に示した位置にある付加機能収容筐体部を回動ガイド部を支軸として回動した状態を示した図である。
【発明を実施するための形態】
【００１３】
以下、図面を参照して、本発明に係るＬＥＤ照明装置の好適な実施例を詳細に説明する。
【実施例】
【００１４】
図１は、本発明の実施例に係るＬＥＤ照明装置１の斜視図である。図２は、本発明の実施例に係るＬＥＤ照明装置１の分解斜視図である。図３は、図１に示したＬＥＤ照明装置１の底面図である。図４は、（ａ）が、図１に示したＬＥＤ照明装置１の上面図であり、（ｂ）が、ＬＥＤ照明装置１の側面図である。図５は、（ａ）が、図１に示したＬＥＤ照明装置１の照明部１０側から視た側面図であり、（ｂ）が、ＬＥＤ照明装置１の付加機能収容筐体部４０側から視た側面図である。図６は、付加機能収容筐体部４０を回動ガイド部３０から離脱した状態を示した分解斜視図である。図７は、収容空間拡大形成部６０の斜視図である。図８は、（ａ）が、支持部１２の斜視図であり、（ｂ）が、（ａ）に示した支持部１２の回動ガイド部３０に連結固定される側の端部を拡大した図であり、（ｃ）が、（ａ）に示した支持部１２の第一口金部１３に連結固定される側の端部を拡大した図である。図９は、（ａ）が、第一口金部１３の口金本体１３ａを外側から視た斜視図であり、（ｂ）が、第一口金部１３の口金本体１３ａを内側から視た斜視図である。図１０は、（ａ）が、回動ガイド部３０を第二口金部７０の固定側端部の斜め下方位置から視た斜視図であり、（ｂ）が、支持部１２との接続側端部の斜め下方位置から視た斜視図である。図１１は、収容空間拡大形成部６０の前壁６３に形成された開口６３ａを塞ぐカバー６３ｂを外した状態の付加機能収容筐体部４０周辺の斜視図である。図１２は、（ａ）および（ｂ）が、図５（ｂ）に示した位置にある付加機能収容筐体部４０を回動ガイド部３０を支軸として回動した状態を示した図である。
本発明の実施例に係るＬＥＤ照明装置１は、例えば、電車の天井付近に設置された既存の直管型の蛍光管を有する蛍光灯、いわゆる直管状蛍光灯の２つのソケットに取り付けられるものである。
【００１５】
ＬＥＤ照明装置１は、ＬＥＤの光を出射する照明部分である照明部１０と、カメラ等の照明以外の付加機能を有する機能部２０と、回動ガイド部３０と、機能部２０が収容される部分であり、回動ガイド部の軸を中心として回動角度を変化させた位置で回動ガイド部３０に固定される付加機能収容筐体部４０と、を有する。
【００１６】
まず、照明部１０について説明する。
照明部１０は、内部に設けられたＬＥＤの光を外部に出射する光透過性の部分を含む直管状カバー部１１と、直管状カバー部１１の一端側から他端側まで延びるように直管状カバー部１１の内部に配置され、かつ、ＬＥＤが設置される支持部１２と、直管状蛍光灯の一方のソケットから電源供給可能に接続されるように支持部１２の一端部に固定される第一口金部１３と、を有する。
【００１７】
直管状カバー部１１は、直管状のガラス部材の外周面をＰＥＴ（ｐｏｌｙｅｔｈｙｌｅｎｅ  ｔｅｒｅｐｈｔｈａｌａｔｅ）等の飛散防止フィルムで覆った光透過性の直管状部分である。
なお、直管状カバー部１１は、ガラス部材に限らず、ＬＥＤの光を外部に出射する光透過性の部分を含む部材であれば、ポリカーボネート等のその他の材質からなるものであっても構わない。
【００１８】
この直管状カバー部１１は、内部に不図示の複数のＬＥＤが設置された支持部１２と、直管状蛍光灯の一方のソケットから供給された交流電圧（例えば、ＡＣ１００Ｖ〜２００Ｖ）を、所定の直流電圧に変換する回路がボックス内に形成された不図示の電源制御回路部が収容されている。
【００１９】
電源制御回路部は、第一口金部１３および複数のＬＥＤに電気的に接続され、さらに、不図示のコネクタを介して機能部２０に電気的に接続可能になっている。
この電源制御回路部は、第一口金部１３から供給された電源を、複数のＬＥＤへの所定の直流電圧、および、機能部２０への所定の直流電圧（例えば、ＤＣ５Ｖ）に変換して供給するものである。
電源制御回路部は、例えば、機能部２０のコネクタ２５に接続されるコネクタが電線を介して直管状カバー部１１の外に引き出し可能になっている。
【００２０】
支持部１２は、例えば、放熱性に優れたアルミニウム材からなる筒状部材であり、図８に示すように、回動ガイド部３０に連結固定される側の端部（図８（ｂ）参照）、および、第一口金部１３に連結固定される側の端部（図８（ｃ）参照）のそれぞれに、回動ガイド部３０および第一口金部１３にネジ止め固定を可能とするネジ止め固定部１２ａが設けられている。
【００２１】
また、支持部１２は、直管状カバー部１１の内周面を下側から支える面となるカバー支持面１２ｂと、ＬＥＤが設置される面となるＬＥＤ設置面１２ｃと、が形成されている。
この支持部１２は、カバー支持面１２ｂを形成する壁と、ＬＥＤ設置面１２ｃを形成する壁とが筒状をなす壁の一部になっているため、ＬＥＤの放熱面を広く確保することができるようになっている。
【００２２】
また、支持部１２は、第一口金部１３と、回動ガイド部３０の後述する一端側固定部３１とに連結固定されることによって、ＬＥＤ照明装置１の一端側となる第一口金部１３から、他端側となる第二口金部７０まで、付加機能収容筐体部４０の回動軸となる回動ガイド部３０を含めた軸方向に沿って直線状に連結固定することを可能にしている。
【００２３】
第一口金部１３は、直管状蛍光灯の一方のソケットに接続されるようになっている。この第一口金部１３は、支持部１２の一端部に固定される部分となる口金本体１３ａと、電気接続部分となる２本のピン１３ｂと、を有し、２本のピン１３ｂが直管状蛍光灯のソケットに装着可能な形状になっている。
口金本体１３ａは、２本のピンを挿通するピン挿通孔１３ａａと、支持部１２の一端部にネジ止め固定するためのネジＳを挿通する２つのネジ挿通孔１３ａｂが形成されている。
【００２４】
次に、機能部２０について説明する。
機能部２０は、照明部１０を介して供給される電源の接続部分となるコネクタ２５（図２参照）を有し、照明部１０を介して電源が供給されるようになっている。
この機能部２０は、図２に示すように、カメラ機能、およびそれに関連した機能を実行させる制御回路が形成された第一回路基板２１および第二回路基板２７と、第二回路基板２７を含むカメラモジュール２８と、を有する。
【００２５】
第一回路基板２１は、照明部１０を介して供給される電源の接続部分となるコネクタ２５を有し、マイクロＳＤ等の不図示のメモリカードを記憶媒体とする記憶部としての第一カードスロット２２、複数のＬＥＤ照明装置１の各装置を識別するための装置識別情報が記憶された不図示のＳＩＭカードを記憶媒体とする記憶部としての第二カードスロット２３、無線通信部としての通信モジュール２４、カメラモジュール２８と接続されるコネクタ２５、機能を拡張するための複数の拡張コネクタ２６が実装されている。
【００２６】
第一カードスロット２２は、メモリカードを記憶媒体として、カメラモジュール２８によって撮像された動画、あるいは、静止画を記憶するものである。
この第一カードスロット２２、および、第二カードスロット２３は、例えば、第一回路基板２１の照明部１０側とは逆側の端部、すなわち、第二口金部７０側の端部に配置されている
なお、この実施例のＬＥＤ照明装置１は、通常時には、撮像情報をメモリカードに記憶し、必要時には、無線通信経由で直接的に撮像情報のライブデータを抽出することができるようになっている。
【００２７】
通信モジュール２４は、移動体の内部であっても安定した通信ができる第４世代移動通信システム、例えば、ＬＴＥ（登録商標）を通信方式として用いている。
この通信モジュール２４は、付加機能収容筐体部４０に配置されたアンテナ２４ａに接続されている。
なお、この実施例では、アンテナ２４ａは、いわゆるフィルムアンテナを用いており、付加機能収容筐体部４０の後述する収容空間拡大形成部６０の内壁面に貼り付けることができるようになっている。
このような通信モジュール２４は、収容空間拡大形成部６０に配置されたアンテナ２４ａによって無線信号の送受信がされるようになっている。
【００２８】
なお、この実施例のＬＥＤ照明装置１は、通信モジュール２４が、ＬＴＥを通信方式とするものを例示したが、これに限らず、無線通信を可能にするものであればその他の通信方式を用いても構わない。例えば、ＷｉＦｉ（登録商標）を通信方式とした通信モジュールを用いてもよい。あるいは、第５世代移動通信システムを通信方式とした通信モジュールを用いてもよい。さらには、ＬＴＥおよびＷｉＦｉの両通信の機能制限および切替機能を備えて、ＬＴＥおよびＷｉＦｉの両通信の通信方式を切り替え可能な通信モジュールを用いても構わない。
【００２９】
複数の拡張コネクタ２６は、カメラモジュール２８以外の機能を有するモジュール、例えば、温度・湿度の検知機能を有するモジュール、３Ｄ加速度の検知機能を有するモジュール、照度の検知機能を有するモジュール等を接続することができるコネクタである。
この複数の拡張コネクタ２６は、並設され、変化する市場の要求に応じた機能のモジュールを容易に付け替えることができるようにしている。
【００３０】
第二回路基板２７は、カメラのレンズ２８ａ、および、不図示のＣＭＯＳイメージセンサ等が配置されることによってカメラモジュール２８を構成している。
なお、第一回路基板２１と第二回路基板２７とは、第二回路基板２７のコネクタから引き出されたフィルムハーネス２８ｂを介してコネクタ接続されるようになっている。
【００３１】
また、第二回路基板２７は、複数のパイロットランプ２９が設けられている。
複数のパイロットランプ２９は、機能部２０の各種実行状態を付加機能収容筐体部４０の外部に表示するものである。
この実施例では、第二回路基板２７に、電源、通信、録画、その他の実行状態を表示する４つのパイロットランプ２９が実装されている。
【００３２】
次に、回動ガイド部３０について説明する。
回動ガイド部３０は、図２および図１０に示すように、一端側に支持部１２の他端部を固定する部分となる一端側固定部３１と、他端側に直管状蛍光灯の他方のソケットに接続される第二口金部７０を固定する部分となる他端側固定部３２と、一端側固定部３１と他端側固定部３２との間を天井側領域を残すように円筒の一部に切欠き部を形成した円弧状の横断面をなして連接する中間連接部３３と、有する。
【００３３】
一端側固定部３１は、支持部１２の筒内空間に嵌入される嵌入部３１ａと、支持部１２の端面１２ｄが突き当てられる突き当て面３１ｂと、支持部１２にネジ止め固定するためのネジ孔３１ｃと、を有する。
この一端側固定部３１は、支持部１２の筒内空間に嵌入部３１ａを嵌入した状態で、内面側からネジ孔３１ｃにネジＳを挿入して支持部１２の端面１２ｄが突き当て面３１ｂに突き当てられた位置で支持部１２に対してネジ止め固されるようになっている。
なお、この一端側固定部３１には、照明部１０からの引き出した電源線を内部に引き出すための開口３１ｄが形成されている。
【００３４】
他端側固定部３２は、第二口金部７０の後述する口金本体７１の端面７１ａが突き当てられる突き当て面３２ａと、第二口金部７０をネジ止め固定するためのネジ孔３２ｂが形成されたネジ固定部３２ｃと、第二口金部７０の２つのピン７２の端部を通す２つのピン通し孔３２ｄと、を有する。
この他端側固定部３２は、第二口金部７０の外面側から口金本体７１のネジ挿通孔７１ｃを通してネジ孔３２ｂにネジＳを螺入して口金本体７１の端面７１ａが突き当て面３２ａに突き当てられた位置で第二口金部７０が固定されるようになっている。
【００３５】
中間連接部３３は、一端側固定部３１と他端側固定部３２との間を天井側領域を残すように円筒の一部に切欠き部３３ａを形成した円弧状の横断面をなして連接する部分である。
この中間連接部３３は、図１０に示すように、内周面の両端部に収容空間拡大形成部６０の後述する係合凹部６１ａに係合する一対の係合凸部３３ｂが設けられている。
一対の係合凸部３３ｂは、中間連接部３３の周方向で同一の位置、すなわち、回動ガイド部３０の軸方向で向かい合う位置に設けられ、それぞれが収容空間拡大形成部６０の係合凹部６１ａに係合することによって、収容空間拡大形成部６０を回動ガイド部３０を軸とした所定の角度の回動位置で保持するもようになっている（図１２参照）。
【００３６】
ＬＥＤ照明装置１は、回動ガイド部３０が一端側に照明部１０の支持部１２の端部が連結固定され、他端側に第二口金部７０の口金本体７１が固定されることによって、第一口金部１３から第二口金部７０まで略一体型の直管状に構成されているので、第一口金部１３から第二口金部７０まで剛性を有して直管状蛍光灯の両ソケットの間に支持固定されるようになっている。
【００３７】
次に、付加機能収容筐体部４０について説明する。
付加機能収容筐体部４０は、回動ガイド部３０の天井側領域の外周面３０ａに沿う円弧状断面部５１を有し、回動ガイド部３０に対して所定の回動位置で回動ガイド部３０の外周面３０ａに取り付けられる回動支持部５０と、回動支持部５０と連結固定可能に中間連接部３３の内面側に切欠き部３３ａを含む機能部２０の収容空間を回動ガイド部３０の軸中心から径外方向にさらに拡大させた収容空間拡大形成部６０と、を有する。
【００３８】
回動支持部５０は、アルミニウム等の金属薄板材からなり、収容空間拡大形成部６０との連結固定完了状態では、収容空間拡大形成部６０の両側壁６２の外面の少なくとも一部を覆うように円弧状断面部５１の両端が延在しており、機能部２０のアンテナ２４ａに対応した位置の外面領域は電波を通し易くするための覆わないように形成されている。
【００３９】
この回動支持部５０は、図２に示すように、Ｕ字状に屈曲された形状になっており、収容空間拡大形成部６０の両側壁６２の外表面に重ねた状態でネジＳによって固定されることによって収容空間拡大形成部６０に連結固定されるようになっている。
【００４０】
このような回動支持部５０は、回動ガイド部３０の天井側領域の外周面３０ａに沿う円弧状断面部５１と、円弧状断面部５１から略直線状に延びて収容空間拡大形成部６０の両側壁６２の一部領域を覆うように連結固定される部分となる一対の側壁面連結用延在部５２と、を有する。
【００４１】
円弧状断面部５１は、付加機能収容筐体部４０が回動ガイド部３０の軸を中心として回動可能に支持されるように回動ガイド部３０の外周面３０ａに沿う部分になっている。
【００４２】
側壁面連結用延在部５２は、付加機能収容筐体部４０の最外面、すなわち、意匠面に形成されるものであるため、デザイン性を考慮した形状にするとよい。
【００４３】
収容空間拡大形成部６０は、機能部２０による外部情報検出側の面以外の面を、ポリフェニレンサンファイド（ＰＰＳ）等の耐熱性に優れた絶縁脂材からなる壁で形成されている。
より具体的には、収容空間拡大形成部６０は、図２および図７に示すように、天井壁６１、両側壁６２、６２、前壁６３、および後壁６４を有して絶縁樹脂材からなる樹脂製壁部６６と、樹脂製壁部６６とは別体の光透過性部材からなり、機能部２０による外部情報検出側の面となる底面の壁を形成する光透過性壁部６７と、を有する。
【００４４】
樹脂製壁部６６は、天井壁６１が回動ガイド部３０の中間連接部３３の内周面に沿った断面円弧状をなし、軸方向両端部に周方向に沿って複数の係合凹部６１ａが設けられている。
【００４５】
複数の係合凹部６１ａは、回動ガイド部３０の上述した一対の係合凸部３３ｂに、周方向で同一位置となる軸方向両端部の一対の係合凹部６１ａを選択的に係合することによって、付加機能収容筐体部を回動ガイド部を軸とした所定の角度で保持することを可能にするものである。
【００４６】
複数の係合凹部６１ａは、天井壁６１の軸方向の各端部に、周方向に沿って２２．５度ずつ角度を変化させた５箇所に設けられている。
天井壁６１の軸方向の各端部に設けられた５箇所の係合凹部６１ａは、天井壁６１の頂点位置に形成した１つの係合凹部６１ａを基準として左右両方向にそれぞれ２２．５度ずつ角度を変化させた２つの係合凹部６１ａをそれぞれ設けている。
このため、ＬＥＤ照明装置１は、回動ガイド部３０の一対の係合凸部３３ｂに、周方向で同一位置となる軸方向両端部の一対の係合凹部６１ａを選択的に係合することによって、付加機能収容筐体部４０を回動ガイド部３０を軸とした左右方向４５度の角度の範囲で、２２．５度ずつ角度を変化させた合計５段階で角度を調整して保持することが可能になっている（図１２参照）。
【００４７】
樹脂製壁部６６は、図２に示すように、縦割りで２分離されるようになっており、２分割された一方の側の樹脂製壁部６６Ａには、機能部２０の第一回路基板２１および第二回路基板２７を固定するための不図示の固定部が設けられている。
【００４８】
また、樹脂製壁部６６は、側壁６２の内面が凹状に形成されることによって薄肉部分として形成された薄肉部６２ａを有し、この薄肉部６２ａの内面にアンテナ２４ａ（図２参照）が配置されるようになっている。
このようにアンテナ２４ａが薄肉部６２ａに配置されることによって、樹脂製壁部６６を通した電波の透過性を高めることができるようになっている。
【００４９】
また、樹脂製壁部６６は、図１１に示すように、前壁６３に開口６３ａが形成されており、この開口６３ａを塞ぐカバー６３ｂが、開口６３ａを開閉自在に前壁６３の一部となって固定されるようになっている。
この開口６３ａは、第一カードスロット２２および第二カードスロット２３のそれぞれからメモリカードおよびＳＩＭカードを抜き挿しすることができる位置に形成されている。
このため、ＬＥＤ照明装置１は、前壁６３からカバー６３ｂを外すことによって、作業者は容易に第一カードスロット２２および第二カードスロット２３のそれぞれからメモリカードおよびＳＩＭカードを抜き挿しすることができるようになっている。
【００５０】
光透過性壁部６７は、板状のガラス材であり、樹脂製壁部６６の底面側に設けられた係止爪部６５に嵌め込まれることによって、収容空間拡大形成部６０の底面を塞ぐ壁として固定されるようになっている。
このように、付加機能収容筐体部４０は、機能部２０による外部情報検出側の面となる底面の壁が板状のガラス材で構成されることによって、光が透過されるようになっている。このため、付加機能収容筐体部４０は、カメラモジュールの外部情報検出部分となるレンズを付加機能収容筐体部４０の外部に露出するための開口を形成する必要がない。
【００５１】
また、外部情報検出側の面となる底面の壁を形成する光透過性壁部６７が、樹脂製壁部６６とは別体で設けられることによって、付加機能収容筐体部４０内にカメラモジュール２８とは異なる種類の機能をなすモジュールを付け替える必要が生じた場合にも、光透過性壁部６７のみ新たな仕様に交換する、または、光透過性壁部６７のみ加工を施すことによって仕様変更に容易に対応することができるようになっている。
【００５２】
なお、この実施例では、光透過性壁部６７が、板状のガラス材であるものを例示したが、光透過性壁部６７は、光透過性の板状部材であれば、ポリカーボネート等のその他の材質からなるものであっても構わない。
【００５３】
第二口金部７０は、回動ガイド部３０の他端側固定部３２に固定される部分となる口金本体７１と、２本のピン７２と、を有し、２本のピン７２が直管状蛍光灯のソケットに装着可能な形状になっている。
口金本体７１は、２本のピン７２を挿通するピン挿通孔７１ｂと、回動ガイド部３０の他端側固定部３２にネジ止め固定するためのネジＳを挿通する２つのネジ挿通孔７１ｃが形成されている。
【００５４】
以上の説明のように構成されるＬＥＤ照明装置１は、図６に示すように、回動支持部５０と収容空間拡大形成部６０とを連結固定するネジを外すことによって、付加機能収容筐体部４０を回動ガイド部３０から離脱することができる。
【００５５】
また、ＬＥＤ照明装置１は、金属薄板材からなる回動支持部５０が収容空間拡大形成部６０の外表面を覆うようになっているので、付加機能収容筐体部４０の不燃性を高めることができるようになっている。
【００５６】
さらに、ＬＥＤ照明装置１は、絶縁樹脂材に比して薄厚であっても剛性を保つことができる金属薄板材からなる回動支持部５０が回動ガイド部３０の天井側領域の外周面３０ａに沿うことによって付加機能収容筐体部４０を回動ガイド部３０の軸を中心として回動可能に支持されるようになっているので、天井側領域に寸法が拡大することを抑えることができるようになっている。
【００５７】
次に、ＬＥＤ照明装置１の組み立て手順について説明する。
なお、第一口金部１３から第二口金部７０まで、回動ガイド部３０を含めた略一体型の直管状に構成された部分が、直管状蛍光灯の両ソケットの間に支持固定されているものに対して以下の組み立て手順が実施される。
まず、作業者は、２分割された樹脂製壁部６６Ａ、６６Ｂの一方の樹脂製壁部６６Ａに、第一回路基板２１および第二回路基板２７を固定する。
【００５８】
次に、作業者は、２分割された樹脂製壁部６６Ａ、６６Ｂを互いの連結面を重ね合わせることによって１つに合体させる。
この作業では、作業者は、光透過性壁部６７を係止爪部６５に嵌め込みつつ２分割された樹脂製壁部６６Ａ、６６Ｂを互いの連結面を重ね合わせる。
このようにして、内部に機能部２０を固定した状態の収容空間拡大形成部６０が組み付け完了される。
【００５９】
次に、作業者は、収容空間拡大形成部６０の上部を、回動ガイド部３０の切欠き部３３ａが形成された部分となる中間連接部３３の内周面側に嵌め込む。
この作業では、作業者は、中間連接部３３の内周面の両端部に設けられた一対の係合凸部３３ｂ、３３ｂに、収容空間拡大形成部６０の天井壁６１の軸方向両端部に周方向に沿って設けられた複数の係合凹部６１ａのうち、回動ガイド部３０を軸として所望の角度となる軸方向両端部の一対の係合凹部６１ａ、６１ａが係合されるように、収容空間拡大形成部６０を、中間連接部３３の内周面側に嵌め込む。
【００６０】
次に、作業者は、回動支持部５０を収容空間拡大形成部６０に連結固定する。
この作業では、作業者は、Ｕ字状に屈曲された回動支持部５０を、円弧状断面部５１を回動ガイド部３０の天井側領域の外周面３０ａに重ね、かつ、一対の側壁面連結用延在部５２、５２を、収容空間拡大形成部６０の両側壁６２の外表面に重ねた状態でネジ止め固定する。
【００６１】
このようにして内部に機能部２０を収容した状態の付加機能収容筐体部４０が組み付け完了されることによって、ＬＥＤ照明装置１の組み立て作業を完了する。
ＬＥＤ照明装置１は、一端側の第一口金部１３から支持部１２および回動ガイド部３０を間に通して他端側の第二口金部７０まで略直管状、かつ、一体的に構成された部分に、付加機能収容筐体部４０が回動ガイド部３０の軸を中心として回動角度を調整された状態で配置される。
【００６２】
本発明の実施例に係るＬＥＤ照明装置１は、付加機能収容筐体部４０が回動ガイド部３０の天井側領域の外周面に回動ガイド部３０に対して円弧状断面部５１を支持部分として所定の回動位置で取り付け固定できるようになっている。
また、本発明の実施例に係るＬＥＤ照明装置１は、付加機能収容筐体部４０が、回動支持部５０が回動ガイド部３０の天井側領域の外周面に沿うことによって、回動ガイド部３０の軸を中心として回動可能に支持され、中間連接部３３の内面側に切欠き部３３ａを含む機能部２０の収容空間を回動ガイド部の軸中心から径外方向にさらに拡大させるようになっているので、天井側領域に寸法が拡大することを抑えることができるようになっている。
しかも、本発明の実施例に係るＬＥＤ照明装置１は、回動ガイド部３０が一端側に照明部１０の支持部１２の端部が連結固定され、他端側に第二口金部７０の口金本体７１が固定されることによって、第一口金部１３から第二口金部７０まで略一体型の直管状に構成されているので、第一口金部１３から第二口金部７０まで剛性を有して直管状蛍光灯の両ソケットの間に支持固定されている。
従いまして、照明部１０に対して回動可能な付加機能収容筐体部４０を照明部１０に容易に着脱することができ、かつ、付加機能収容筐体部４０の機能部２０を収容するための収容空間を確保し易くすることができ、しかも、付加機能収容筐体部４０を安定的に支持することがでる。
【００６３】
また、本発明の実施例に係るＬＥＤ照明装置１は、収容空間拡大形成部６０が、機能部２０による外部情報検出側の面以外の面を絶縁脂材からなる壁で形成され、かつ、絶縁樹材からなる両側壁の少なくとも一方の側壁の内面に無線通信用のアンテナが配置されており、回動支持部５０が、金属薄板材からなり、収容空間拡大形成部６０との連結固定完了状態では、収容空間拡大形成部６０の両側壁６２の外面の少なくとも一部を覆うように円弧状断面部５１の両端が延在しており、アンテナ２４ａに対応した位置の外面領域は電波を通し易くするための覆わないように形成されている。
このため、本発明の実施例に係るＬＥＤ照明装置１は、回動ガイド部３０の天井側領域の外周面に沿う円弧状断面部４１ａが金属薄板材であるため、天井側領域への寸法拡大を金属薄板材の厚み分のみに抑えることができ、しかも、円弧状断面部４１ａの回動支持部分としても強度も十分確保することができ、さらには、アンテナ２４ａが配置される位置では電波を通し易くすることができる。
【００６４】
また、本発明の実施例に係るＬＥＤ照明装置１は、付加機能収容筐体部４０が、機能部２０による外部情報の検出側の面に別体のガラス材からなる光透過性壁部６７を有するので、付加機能収容筐体部４０が、内部に収容される機能部２０がガラス材を通して外部情報を検出することができるものである場合、光が透過されるため、カメラモジュール２８のレンズ２８ａ等の検出部分を付加機能収容筐体部４０の外部に露出するための開口を形成する必要がない。
また、本発明の実施例に係るＬＥＤ照明装置１は、外部情報検出側の面となる底面の壁を形成する光透過性壁部６７が、樹脂製壁部６６とは別体で設けられることによって、付加機能収容筐体部４０内にカメラモジュール２８とは異なる種類の機能をなすモジュールを付け替える必要が生じた場合にも、光透過性壁部６７のみ新たな仕様に交換する、または、光透過性壁部６７のみ加工を施すことによって仕様変更に容易に対応することができるようになっている。
【００６５】
また、本発明の実施例に係るＬＥＤ照明装置１は、付加機能収容筐体部４０を回動ガイド部３０の軸を中心として２５度ずつ角度を５段階で変化させた回動位置で回動ガイド部３０に係合することができるものを例示したが、付加機能収容筐体部４０の係合位置はこれに限らず、回動ガイド部３０の軸を中心として角度を変化させた複数の回動位置であればその他の位置に係合するようにしても構わない。
【００６６】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６７】
１      ＬＥＤ照明装置
１０    照明部
１１    直管状カバー部
１２    支持部
１２ａ  ネジ止め固定部
１２ｂ  カバー支持面
１２ｃ  ＬＥＤ設置面
１２ｄ  端面
１３    第一口金部
１３ａ  口金本体
１３ａａ  ピン挿通孔
１３ａｂ  ネジ挿通孔
１３ｂ  ピン
２０    機能部
２１    第一回路基板
２２    第一カードスロット
２３    第二カードスロット
２４    通信モジュール
２４ａ  アンテナ
２５    コネクタ
２６    拡張コネクタ
２７    第二回路基板
２８    カメラモジュール
２８ａ  レンズ
２８ｂ  フィルムハーネス
２９    パイロットランプ
３０    回動ガイド部
３０ａ  外周面
３１    一端側固定部
３１ａ  嵌入部
３１ｂ  突き当て面
３１ｃ  ネジ孔
３１ｄ  開口
３２    他端側固定部
３２ａ  突き当て面
３２ｂ  ネジ孔
３２ｃ  ネジ固定部
３２ｄ  ピン通し孔
３３    中間連接部
３３ａ  切欠き部
３３ｂ  係合凸部
４０    付加機能収容筐体部
５０    回動支持部
５１    円弧状断面部
５２    側壁面連結用延在部
６０    収容空間拡大形成部
６１    天井壁
６１ａ  係合凹部
６２    側壁
６２ａ  薄肉部
６３    前壁
６３ａ  開口
６３ｂ  カバー
６４    後壁
６５    係止爪部
６６、６６Ａ、６６Ｂ    樹脂製壁部
６７    光透過性壁部
７０    第二口金部
７１    口金本体
７１ａ  端面
７１ｂ  ピン挿通孔
７１ｃ  ネジ挿通孔
７２    ピン
Ｓ      ネジ
【図１】
2020181663.tif 000003
【図２】
2020181663.tif 000004
【図３】
2020181663.tif 000005
【図４】
2020181663.tif 000006
【図５】
2020181663.tif 000007
【図６】
2020181663.tif 000008
【図７】
2020181663.tif 000009
【図８】
2020181663.tif 000010
【図９】
2020181663.tif 000011
【図１０】
2020181663.tif 000012
【図１１】
2020181663.tif 000013
【図１２】
2020181663.tif 000014